(57)【要約】  【課題】  加熱調理器の制御系がシステムダウン（プログラム停止）した場合であっても，ヒータやマイクロ波発生装置等への供給電力を遮断して，加熱調理器の安全性を確保すること。  【解決手段】  加熱調理器の電力供給回路に，電力供給源２からヒータ等に供給される電力を通電／遮断するべく電力供給源２に対して並列に設けられたドアスイッチ３０及びリレー３３と，ドアスイッチ３０が切り換えられたことによりマイコン１ａに供給された電力を受けて，電力供給源２からリレー３３の接点３３ａてマイコン１ａに電力を供給するべくリレー３３を切り換えるための切換信号をマイコン１ａに出力させる切換信号出力手段と，この切換信号出力手段により切換信号がマイコン１ａから継続して出力されている間は，接点３３ａを通電状態に保持し，切換信号出力手段による切換信号の出力が途絶えたときは，接点３３ａを遮断状態に切り換える保持切換手段とを設ける。【選択図】図１
2005135663.tif 000002
【特許請求の範囲】
【請求項１】
加熱調理器本体の内部に設けられた加熱室内の被加熱物を加熱する１以上の加熱手段に供給される加熱電力を通電／遮断する加熱電力切換手段と，
上記加熱電力切換手段による上記通電／遮断の切換を所定の制御プログラムに基づき制御する加熱制御手段と，
上記加熱制御手段に電力を供給する制御電力供給手段と，
を具備する加熱調理器の電力供給回路において，
上記制御電力供給手段から上記加熱制御手段に供給される電力を通電／遮断するべく上記制御電力供給手段に対して並列に設けられた第１の切換手段及び第２の切換手段と，
上記第１の切換手段が切り換えられたことにより上記加熱制御手段に供給された電力を受けて，上記制御電力供給手段から上記第２の切換手段を経て上記加熱制御手段に電力を供給するべく上記第２の切換手段を切り換えるための切換信号を上記加熱制御手段に出力させる切換信号出力手段と，
上記切換信号出力手段により上記切換信号が上記加熱制御手段から継続して出力されている間は，上記第２の切換手段を通電状態に保持し，上記切換信号出力手段による上記切換信号の出力が途絶えたときは，上記第２の切換手段を遮断状態に切り換える保持切換手段と，
を具備してなることを特徴とする電力供給回路。
【請求項２】
上記第１の切換手段が，上記加熱室の開口部に開閉可能に設けられたドアの開閉状態を検出するドアスイッチである請求項１に記載の電力供給回路。
【請求項３】
上記切換信号出力手段により上記加熱制御手段から出力される上記切換信号が一定の周期性を持つ信号であって，該信号がコンデンサを介して出力されるものである請求項１又は２に記載の電力供給回路。
【請求項４】
上記１以上の加熱手段が，上記被加熱物を放射熱により加熱する放射熱加熱手段，及び，上記被加熱物を電磁波により加熱する電磁波加熱手段である請求項１〜３のいずれかに記載の電力供給回路。
【請求項５】
上記請求項１〜４に記載の電力供給回路を備えてなる加熱調理器。
【発明の詳細な説明】
【技術分野】
【０００１】
本発明は，電子レンジやオーブンレンジ等の加熱調理器に用いられる電力供給回路に関し，特に，被加熱物を加熱するヒータやマイクロ波等の加熱装置へ安全に電力を供給する電力供給回路に関するものである。
【背景技術】
【０００２】
従来，電子レンジやオーブンレンジ等の加熱料理器に関し，多数の技術が提案されており，その一例として，特許文献１に開示されている加熱調理器がある。この特許文献１に記載の加熱料理器は，高周波加熱装置（加熱手段）を起動させるためのキースイッチが押圧されることにより出力されるスイッチ信号がマイクロコンピュータ（以下，「マイコン」と略す。）に入力され，このマイクロコンヒュータによって，予め設定された上記キースイッチに対する調理条件に基づき上記高周波加熱装置からマイクロ波が出力され，このマイクロ波が被加熱物に照射されることにより食品等の加熱調理が実行されるものである。即ち，まず，マイクロコンピュータにより所定のリレーが作動され，高周波加熱装置に電圧が供給される。この供給された電圧は，高圧トランスで昇圧され，ダイオードやコンデンサにより更に昇圧された後に上記高周波加熱装置内のマグネトロンに印加される。この高電圧を受けて上記マグネトロンから発生されたマイクロ波が加熱庫内に収容された食品に照射されることにより，食品がマイクロ波により加熱される。
【０００３】
ここで，上記特許文献１に記載の加熱調理器を含む従来の加熱調理器に用いられる電力供給回路Ｙについて，図３の回路図及び図４のタイミングチャートを用いて更に詳しく説明する。ここに，図３は従来の加熱調理器に用いられる加熱手段に電力を供給するための電力供給回路の一例を示す回路図，図４は図３の従来の電力供給回路のタイミングチャートである。尚，上記加熱調理器は，内部に被加熱物を収容する加熱庫，この加熱庫内の被加熱物を放射熱により加熱するヒータ（放射熱加熱手段）や上記被加熱物を電磁波により加熱するマイクロ波発生装置（電磁波加熱手段）等の加熱手段等を備え，外部に上記加熱庫に被加熱物を出し入れするためのドア，調理条件等の入力指示，調理の開始指示，電源の投入指示等を行う複数のキースイッチ等を有する操作パネル等を備えて構成され，予め入力された調理条件に基づいて上記加熱手段に供給される加熱電力を制御して上記非加熱物を加熱調理する周知の電子レンジやオーブンレンジ等の加熱調理器である。従って，ここでは上記加熱調理器の詳細については説明を省略する。
最初に，上記電力供給回路Ｙの概略構成について説明する。図３の回路図に示すように，従来の電力供給回路Ｙは，大別すると，加熱庫内の被加熱物を加熱するマイクロ波発生装置に供給される加熱電力を通電／遮断するリレー３１（加熱電力切換手段の一例）と，加熱庫内の被加熱物を加熱するヒータに供給される加熱電力を通電／遮断するリレー３２（加熱電力切換手段の一例）と，上記リレー３１及び３２による上記加熱電力の通電／遮断の切換を所定の制御プログラムに基づき制御するマイコン１（加熱制御手段の一例）と，ＡＣ１００Ｖ（交流１００Ｖ）の電力を供給する電力供給源２と，この電力供給源２から供給されたＡＣ１００Ｖを制御電力（例えばＤＣ２４Ｖ（直流２４Ｖ））に変換して上記マイコン１に供給するＡＣ／ＤＣコンバータ３（以下，「ＡＣ／ＤＣ」と略す。）と，ＰＮＰ型トランジスタ（以下「ＰＮＰ」という）２０，ＮＰＮ型トランジスタ（以下「ＮＰＮ」という）２１，ＮＰＮ２２，ダイオード３１ｄ及びダイオード３２ｄ等の電子部品とを備えて構成されている。尚，上記電力供給源２及び上記ＡＣ／ＤＣ３は制御電力供給手段の一例である。
【０００４】
続いて，図３の回路図を用いて，上記電力供給回路Ｙを構成する各部品の接続状態について説明する。
上記ＡＣ／ＤＣ３のプラス側端子Ｐは，マイコン１の入力端子Ｐ２０，ＰＮＰ２０のエミッタ，リレー３１，３２のプラス側端子と接続されている。
マイコン１の出力端子Ｓ１はデバイスコンデンサ５を介してＰＮＰ２０のベースに，また，上記マイコン１の出力端子Ｓ２はＮＰＮ２２のベースに接続されている。
ＰＮＰ２０のコレクタはＮＰＮ２１のベースに接続され，更に，電解コンデンサ４を介して上記ＡＣ／ＤＣ３のマイナス側端子Ｎに接続されている。
リレー３１には，該リレー３１で残留電荷を消費する方向に並列にダイオード３１ｄが接続されている。このリレー３１のマイナス側端子はＮＰＮ２１のエミッタに接続され，ＮＰＮ２１のコレクタは上記ＡＣ／ＤＣ３のマイナス側の端子Ｎに接続されている。尚，上記リレー３１の接点３１ａ（ｍａｋｅ接点）は，図示しないが，マイクロ波発生装置へ供給される加熱電力ラインに直列に接続されており，上記リレー３１が作動することにより上記接点３１ａが励磁（ＯＮ）されて，上記マイクロ波発生装置へ加熱電力が供給される。
リレー３２も，上記リレー３１と同様にダイオード３２ｄが並列接続されている。このリレー３２のマイナス側端子はＮＰＮ２２のエミッタに接続され，ＮＰＮ２２のコレクタは上記ＡＣ／ＤＣ３のマイナス側の端子Ｎに接続されている。尚，上記リレー３２の接点３２ａも，図示しないが，ヒータへ供給される加熱電力ラインに直列に接続されており，上記リレー３２に電力が供給されることにより上記接点３２ａが作動（ＯＮ）されて，上記ヒータへ加熱電力が供給される。
【０００５】
次に，図３の回路図及び図４のタイミングチャートを参照して従来の電力供給回路Ｙの動作について説明する。尚，図４の（ｐ）〜（ｚ）に示すタイミングチャートにおいて，（ｐ）は電力供給源２から出力される電力，（ｑ）はマイコン１に供給される電力，（ｒ）は調理開始を示すスタート信号，（ｓ）は調理終了を示す終了信号，（ｔ）はマイコン１の端子Ｓ１からＰＮＰ２０へ出力されるパルス信号，（ｕ）はＰＮＰ２０のコレクタ電圧，（ｖ）はＮＰＮ２１のコレクタ電圧，（ｗ）はリレー接点３１ａの作動状態，（ｘ）はマイコン１の端子Ｓ２からＮＰＮ２２へ出力される制御信号，（ｙ）はＮＰＮ２２のコレクタ電圧，（ｚ）はリレー接点３２ａの作動状態を示す。
まず，加熱調理器に設けられた不図示の電源スイッチが押圧操作されると，上記電力供給源２から上記ＡＣ／ＤＣ３にＡＣ１００Ｖの電力が供給され（図４（ｐ）），上記ＡＣ／ＤＣ３により変換されたＤＣ２４Ｖが上記マイコン１（の電力端子Ｐ２０）に供給される（図４（ｑ））。このとき上記ＰＮＰ２０，ＮＰＮ２１，ＮＰＮ２２はいずれもＯＦＦ状態であるため，上記リレー３１，３２には電力は供給されない（図４：Ｔ20）。
次に，加熱調理器内の加熱庫に収容された食品（被加熱物）を調理するための調理条件等が入力され，調理を開始するスタートキーが押圧操作されると（図４（ｒ）），上記マイコン１の出力端子Ｓ１からパルス信号が出力され（図４（ｔ）），このパルス信号がデバイスコンデンサ５を介してＰＮＰトランジスタ２０のベースに入力される（図４：Ｔ21）。これにより，ＰＮＰ２０のエミッタからコレクタに向けて電流が流れ，上記パルス信号のＬＯＷレベルに応じたＤＣ２４Ｖが上記ＮＰＮ２１のベース及び上記電界コンデンサ４に供給される（図４（ｕ））。尚，上記デバイスコンデンサ５は周波性を有するパルス信号や交流成分を通過させ，一定の大きさを有する直流信号等を遮断させる性質を有するものである。
上記電解コンデンサ４に電力が供給されると，すぐに該電界コンデンサ４に電力が蓄えられる。この蓄えられた電力は，上記ＮＰＮ２１のベースに供給される（図４（ｖ），Ｔ22）。上記ＮＰＮ２１のベースに電力が供給されると，ＮＰＮ２１のエミッタからコレクタに向けて電流が流れるため，上記リレー３１に電力が供給され，このリレー３１によりリレー接点３１ａが作動（ＯＮ）される（図４（ｗ））。これによりマイクロ波発生装置に加熱電力が供給されて，マイクロ波加熱による加熱調理が開始される。
また，上記スタートキーが押圧操作されると，上記マイコン１の出力端子Ｓ２から上記ＮＰＮ２２のベースに制御信号も出力される（図４（ｘ））。この制御信号は，周期性を有する信号ではなく，上記調理条件に基づいてヒータへ供給される加熱電力を制御するために出力されるＨＩＧＨレベル或いはＬＯＷレベルの信号であって，上記調理条件や加熱庫内の温度状況等に応じて信号レベルが不規則に変化する信号である。この制御信号が上記ＮＰＮ２２のベースに出力されると，該制御信号の信号レベルに応じて，信号レベルがＨＩＧＨのときはＮＰＮ２２のエミッタからコレクタに向けて電流が流れ（図４（ｙ）），リレー３２に電力が供給され，このリレー３２によりリレー接点３１ａが作動（ＯＮ）される。一方，信号レベルがＬＯＷのときは，エミッタからコレクタに向けて電流が流れないため，リレー３２は作動しない（図４（ｚ））。このように，マイコン１出力される制御信号に応じて上記リレー３２の接点３２ａがＯＮ或いはＯＦＦに切り換えられることにより，上記ヒータに加熱電力が供給されて，ヒータによる加熱調理が開始される。
また，加熱調理の終了信号が上記マイコン１に入力されると（図４（ｓ）），上記マイコン１は端子Ｓ１，Ｓ２からの信号の出力を停止させて，上記マイクロ波発生装置及びヒータによる加熱調理を終了させる（図４，Ｔ23）。
【特許文献１】特開平０９−１４６６５号公報
【発明の開示】
【発明が解決しようとする課題】
【０００６】
しかしながら，上記従来の電力供給回路Ｙには以下の問題点がある。
例えば，図４のタイミングチャートに示す時刻Ｔyのときに，携帯電話等の無線通信装置から発生する電磁波，高周波等のノイズ，或いは，加熱料理器自体から生じる上記ノイズの影響を受けてシステムダウンした場合，即ち，マイコン１の制御プログラム等に基づく処理動作が停止してマイコン１が暴走し，上記リレー３２の切換の制御が不能となった場合に，上記リレー３２に対してＨＩＧＨレベルの信号が出力され続け，ヒータによる加熱が継続されるという危険な状態となるおそれがある。家電製品に無線通信技術が利用されるようになった昨今では，上述のヒータによる継続加熱が発生する可能性が大きく，問題である。
従って，本発明は上記事情に鑑みてなされたものであり，その目的とするところは，加熱調理器の制御系がシステムダウン（プログラム停止）した場合であっても，被加熱物を加熱するヒータやマイクロ波発生装置等の加熱手段への供給電力を遮断して，加熱調理器の安全性を確保することのできる電力供給回路及びこれを備えた加熱調理器を提供することにある。
【課題を解決するための手段】
【０００７】
上記目的を達成するために本発明は，加熱調理器本体の内部に設けられた加熱室内の被加熱物を加熱する１以上の加熱手段に供給される加熱電力を通電／遮断する加熱電力切換手段と，上記加熱電力切換手段による上記通電／遮断の切換を所定の制御プログラムに基づき制御する加熱制御手段と，上記加熱制御手段に電力を供給する制御電力供給手段と，を具備する加熱調理器の電力供給回路において，上記制御電力供給手段から上記加熱制御手段に供給される電力を通電／遮断するべく上記制御電力供給手段に対して並列に設けられた第１の切換手段及び第２の切換手段と，上記第１の切換手段が切り換えられたことにより上記加熱制御手段に供給された電力を受けて，上記制御電力供給手段から上記第２の切換手段を経て上記加熱制御手段に電力を供給するべく上記第２の切換手段を切り換えるための切換信号を上記加熱制御手段に出力させる切換信号出力手段と，上記切換信号出力手段により上記切換信号が上記加熱制御手段から継続して出力されている間は，上記第２の切換手段を通電状態に保持し，上記切換信号出力手段による上記切換信号の出力が途絶えたときは，上記第２の切換手段を遮断状態に切り換える保持切換手段と，を具備してなることを特徴とする電力供給回路として構成されるものである。
このように構成されることにより，例えば，上記加熱制御手段が電磁波や高周波等のノイズの影響を受けてシステムダウン（プログラム停止状態）した場合に，上記加熱電力切換手段による切換制御が不能となり，該加熱電力切換手段によりヒータやマイクロ波発生装置等の加熱手段に加熱電力が継続して供給される状態となった場合であっても，システムダウン直後に上記加熱制御手段への電力供給が遮断される。これにより，上記加熱手段に供給される加熱電力が遮断されるため，上記加熱調理器の安全性を確保することが可能となる。
【０００８】
この場合，上記第１の切換手段が，上記加熱室の開口部に開閉可能に設けられたドアの開閉状態を検出するドアスイッチであることが望ましい。これにより，上記加熱室に被加熱物である食品を収納する際にドアが開けられたことが検出されると同時に，上記加熱制御手段に電力が供給されるため，上記加熱制御手段によって上記加熱電力切換手段の切換を制御することが可能となる。
【０００９】
ここで，上記加熱制御手段がシステムダウンした場合は，システムダウン直前に上記加熱制御手段から出力された信号と同レベルの信号（異常信号）が上記加熱制御手段から継続して出力されると考えられる。この異常信号が上記加熱手段に加熱電力を供給する信号レベルを有する場合は，上記加熱手段に常に加熱電力が供給されるため，加熱調理器が異常加熱するおそれがあり危険である。従って，この場合は，上記加熱手段への電力供給を遮断させるべく，上記加熱制御手段に供給される電力を遮断させる必要がある。そのために，上記切換信号出力手段により上記加熱制御手段から出力される上記切換信号は一定の周期性を持つ信号であって，該切換信号がコンデンサを介して出力されるものであることが望ましい。このように，上記切換信号が一定の周期性を持つ信号であれば，正常時はコンデンサを通過して上記切換信号が出力され，異常時（システムダウン時）は，上記加熱制御手段から出力される上記切換信号の異常信号が上記コンデンサにより遮られるため，上記加熱制御手段への電力供給が遮断され，次いで，上記加熱手段に供給される加熱電力が遮断されるため，加熱調理器の安全性が確保されることになる。
【００１０】
また，上記１以上の加熱手段が，上記被加熱物を放射熱により加熱する放射熱加熱手段，及び，上記被加熱物を電磁波により加熱する電磁波加熱手段であってもよい。
また，上記電力供給回路を備えた加熱調理器であっても，前記課題を解決することができる。
【発明の効果】
【００１１】
以上説明したように，本発明によれば，加熱調理器の電力供給回路に，制御電力供給手段から加熱制御手段に供給される電力を通電／遮断する第１の切換手段と，上記第１の切換手段と並列に設けられ，上記制御電力供給手段から上記加熱制御手段に供給される電力を通電／遮断する第２の切換手段と，上記第１の切換手段が切り換えられたことにより上記加熱制御手段に供給された電力を受けて，上記制御電力供給手段から上記第２の切換手段を経て上記加熱制御手段に電力を供給するべく上記第２の切換手段を切り換えるための切換信号を上記加熱制御手段に出力させる切換信号出力手段と，上記切換信号出力手段により上記切換信号が上記加熱制御手段から継続して出力されている間は，上記第２の切換手段を通電状態に保持し，上記切換信号出力手段による上記切換信号の出力が途絶えたときは，上記第２の切換手段を遮断状態に切り換える保持切換手段が設けられているため，例えば，上記加熱制御手段が電磁波や高周波等のノイズの影響を受けてシステムダウンした場合に，上記加熱電力切換手段の切換の制御が不能となり，該加熱電力切換手段によりヒータやマイクロ波発生装置等の加熱手段に加熱電力が継続して供給される状態となった場合であっても，システムダウン直後に上記加熱制御手段への電力供給が遮断され，これにより上記加熱手段に供給される加熱電力が遮断されるため，上記加熱調理器の安全性を確保することが可能となる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る加熱調理器の電力供給回路の一例を示す回路図，図２は図１に示す本発明の実施の形態に係る電力供給回路のタイミングチャート，図３は従来の加熱調理器の電力供給回路の一例を示す回路図，図４は図３に示す従来の電力供給回路のタイミングチャートである。
【００１３】
ここで，図１の回路図及び図２のタイミングチャートを用いて，本発明の実施の形態に係る加熱調理器の電力供給回路Ｘの概要とその動作について説明する。
まず，本電力供給回路Ｘの概略構成について説明する。図４の回路図に示すように，本電力供給回路Ｘは，リレー３１（加熱電力切換手段の一例），リレー３２（加熱電力切換手段の一例），マイコン１ａ（加熱制御手段の一例），電力供給源２（制御電力供給手段の一例），ＡＣ／ＤＣ３と，を備えている点においては前記従来の電力供給回路Ｙと略同じ構成である。また，本電力供給回路Ｘは，ドアスイッチ３０，リレー３３，ＰＮＰ１０，ＮＰＮ１１，ＮＰＮ１２，ＮＰＮ１３，及びダイオード３１ｄ，３２ｄ，３３ｄ等の電子部品とを備えて構成されている。以下に上記各構成について説明するが，従来の電力供給回路Ｙと同一の構成については説明を省略する。
上記ドアスイッチ３０は，上記電力供給源２から出力されるＡＣ１００Ｖの電力を通電／遮断する第１の切換手段の一例であって，ドアの開閉状態を検出するリミットスイッチやマイクロスイッチ等である。上記ドアスイッチ３０は，ドアが開のときに作動（ＯＮ）し，ドアが閉のときに不作動（ＯＦＦ）となる。
上記リレー３３は，電力供給源２に対して上記ドアスイッチ３０と並列に設けられ，上記電力供給源２から出力されるＡＣ１００Ｖの電力を通電／遮断する第２の切換手段の一例であって，電磁接触器等のパワーリレーである。かかるリレー３３は，周知のごとく，リレー３３の通電時に作動（ＯＮ）し，断電時に不作動（ＯＦＦ）となる上記リレー接点３３ａを有する。
上記マイコン１ａは，従来の電力供給回路Ｙのマイコン１と同じく，上記リレー３１及び３２による上記加熱電力の通電／遮断の切換を所定の制御プログラムに基づき制御するものである。更に，従来のマイコン１とは異なり，上記マイコン１ａには，上記リレー３３の接点３３ａが切り換えられたことにより上記マイコン１ａに供給された電力を受けて，上記電力供給源２から上記リレー３３の接点３３ａを経て上記マイコン１ａに電力を供給するべく上記リレー３３の接点３３ａを切り換えるための切換信号を上記マイコン１ａに出力させる切換信号出力手段として上記マイコン１ａを機能させるための切換信号出力プログラムが不図示のプログラムメモリに格納されている。このマイコン１ａには３つの出力端子と１つの入力端子が設けられており，出力端子Ｓ１ａからはパルス信号（切換信号に相当），出力端子Ｓ２ａからは上記リレー３１による通電／遮断の切換を制御する制御信号ＳＡ，出力端子Ｓ２ｂからは上記リレー３２による通電／遮断の切換を制御する制御信号ＳＢが出力され，入力端子Ｐ１０には制御電源が入力される。
上記ＰＮＰ１０及びＮＰＮ１１は，上記切換信号出力プログラムに基づいて上記マイコン１から上記パルス信号が継続して出力されている間は，上記リレー３３の接点３３ａを通電状態に保持し，上記切換信号の出力が途絶えたときは，上記リレー３３の接点３３ａを遮断状態に切り換える保持切換手段の一例である。
【００１４】
続いて，図１の回路図を用いて，上記電力供給回路Ｘを構成する各部品の接続状態について説明する。
上記ＡＣ／ＤＣ３のプラス側端子Ｐは，マイコン１ａの入力端子Ｐ１０，ＰＮＰ１０のエミッタ，リレー３１，３２，３３のプラス側端子と接続されており，  マイコン１ａの出力端子Ｓ１ａはデバイスコンデンサ５を介してＰＮＰ１０のベースに，出力端子Ｓ２ａはＮＰＮ１２のベースに，出力端子Ｓ２ｂはＮＰＮ１３のベースにそれぞれ接続されている。
ＰＮＰ１０のコレクタはＮＰＮ１１のベースに接続され，更に，電解コンデンサ４を介して上記ＡＣ／ＤＣ３のマイナス側端子Ｎに接続されている。
リレー３１のマイナス側端子はＮＰＮ１２のエミッタに接続され，ＮＰＮ１２のコレクタは上記ＡＣ／ＤＣ３のマイナス側の端子Ｎに接続されており，リレー３２のマイナス側端子はＮＰＮ１３のエミッタに接続され，ＮＰＮ１３のコレクタは上記ＡＣ／ＤＣ３のマイナス側の端子Ｎに接続されている。
また，リレー３３には，該リレー３３で残留電荷を消費する方向に並列にダイオード３３ｄが接続されている。このリレー３３のマイナス側端子はＮＰＮ１１のエミッタに接続され，ＮＰＮ１１のコレクタは上記ＡＣ／ＤＣ３のマイナス側の端子Ｎに接続されている。上記リレー３３の接点３３ａは上記電力供給源２と上記ＡＣ／ＤＣ３との間の電源ラインに直列に接続されており，上記リレー３３が作動することにより上記接点３３ａが作動（ＯＮ）されて，上記電力供給源２から上記ＡＣ／ＤＣ３へＡＣ１００Ｖの電力が供給される。
また，回路を構成するその他の要素の接続については，前記従来の電力供給回路Ｙと同様であるため，上述の電力供給回路Ｙの接続状態の説明を参照されたい。
【００１５】
次に，図１の回路図及び図２のタイミングチャートを参照して本電力供給回路Ｘの動作について説明する。尚，図２の（ａ）〜（ｏ）に示すタイミングチャートにおいて，（ａ）は電力供給源２から出力される電力，（ｂ）はマイコン１ａに供給される電力，（ｃ）はドアスイッチ３０のＯＮ／ＯＦＦ状態，（ｄ）は調理開始を示すスタート信号，（ｅ）は調理終了を示す終了信号，（ｆ）はマイコン１ａの端子Ｓ１ａからＰＮＰ１０へ出力されるパルス信号，（ｇ）はＰＮＰ１０のコレクタ電圧，（ｈ）はＮＰＮ１１のコレクタ電圧，（ｉ）はリレー接点３３ａの作動状態，（ｊ）はマイコン１の端子Ｓ２ａからＮＰＮ１２へ出力される制御信号ＳＡ，（ｋ）はＮＰＮ１２のコレクタ電圧，（ｌ）はリレー接点３１ａの作動状態，（ｍ）はマイコン１の端子Ｓ２ｂからＮＰＮ１３へ出力される制御信号ＳＢ，（ｎ）はＮＰＮ１３のコレクタ電圧，（ｏ）はリレー接点３２ａの作動状態を示すタイミングチャートである。
まず，加熱調理器に設けられた不図示の電源スイッチが押圧操作されると，上記電力供給源２からＡＣ１００Ｖの電力が出力されるが（図２（ａ），Ｔ10），加熱庫を開閉するドアが閉じている状態であり，ドアスイッチ３０及びリレー接点３３ａがいずれも作動（ＯＮ）状態でない場合は，従来とは異なり，上記ＡＣ／ＤＣ３にはＡＣ１００Ｖの電力が供給されないため，マイコン１ａには電力が供給されない。
次に，例えば，加熱庫に食品を収容するために上記ドアが開けられると，ドアスイッチ３０が作動（ＯＮ）され（図２（ｃ），Ｔ11），このドアスイッチを経て上記ＡＣ／ＤＣ３にＡＣ１００Ｖが供給され，上記ＡＣ／ＤＣ３により変換されたＤＣ２４Ｖが上記マイコン１ａ（の電力端子Ｐ１０）に供給される（図２（ｂ））。また，ドアが閉じられたときは，ドアスイッチが不作動（ＯＦＦ）となるため，このドアスイッチを経由して電力は供給されない。
続いて，調理を開始するスタートキーが押圧操作されると（図２（ｄ）），上記マイコン１ａの出力端子Ｓ１ａからパルス信号が出力され（図２（ｆ）），このパルス信号がデバイスコンデンサ５を介してＰＮＰ１０のベースに入力される（図２，Ｔ12）。これにより，前記従来の電力供給回路Ｙと同様に，ＰＮＰ１０のエミッタからコレクタに向けて電流が流れ，上記パルス信号のＬＯＷレベルに応じたＤＣ２４Ｖが上記ＮＰＮ２１のベース及び上記電界コンデンサ４に供給されて（図２（ｇ）），この蓄えられた一定電力が上記ＮＰＮ１１のベースに供給される（図４（ｈ），Ｔ13）。これにより，ＮＰＮ１１のエミッタからコレクタに向けて電流が流れるため，上記リレー３３に電力が供給され，該リレー３３によりリレー３３の接点３３ａが作動（ＯＮ）される（図２（ｉ））。このように，上記パルス信号が継続して出力されている間は，上記ＰＮＰ１０及び上記ＮＰＮ１１が作動することにより，上記接点３３ａがＯＮ状態（通電状態）に保持されるため，たとえ加熱庫のドアが閉じられたとしても，上記接点３３ａを経て上記マイコン１ａに電力が供給される。即ち，上記ＰＮＰ１０及び上記ＮＰＮ１１が，上記パルス信号がマイコン１ａから継続して出力されている間は上記リレー３３を通電状態に保持する保持切換手段に相当する。
その後，加熱庫内に被加熱物が収容され，ドアが閉じられた後に，上記スタートキーが押圧操作されると，上記マイコン１ａの出力端子Ｓ２ａから上記ＮＰＮ１２のベースに制御信号ＳＡが出力される。上記ＮＰＮ１２では，上記制御信号ＳＡの信号レベルに応じてＯＮ／ＯＦＦし，例えば信号レベルがＨＩＧＨのときはＯＮして，リレー３１に電力が供給されて接点３１ａが作動（ＯＮ）される。一方，信号レベルがＬＯＷのときは，上記ＮＰＮ１２がＯＦＦするので，リレー３１は作動しない（図４（ｚ））。このように，上記制御信号ＳＡにより上記リレー３１の動作が制御されることにより，上記マイクロ波発生装置へ供給される加熱電力が制御される。これにより，マイクロ波発生装置による加熱調理が行われる。また，上記マイコン１ａの出力端子Ｓ２ｂから上記ＮＰＮ１３のベースに制御信号ＳＢが出力された場合も，上記ＮＰＮ１３及びリレー３２は上記ＮＰＮ１２及びリレー３１と同様に作動する。この場合も，上記制御信号ＳＢにより上記リレー３２の動作が制御されることにより，上記ヒータへ供給される加熱電力が制御される。これにより，ヒータによる加熱調理が行われる。従って，上記リレー３１及び３２が加熱手段であるヒータ或いはマイクロ波発生装置に供給される加熱電力を通電／遮断する加熱電力切換手段に相当する。
更に，加熱調理の終了信号が上記マイコン１に入力されると（図４（ｅ）），上記マイコン１ａにより端子Ｓ１ａ，Ｓ２ａ，Ｓ２ｂからの信号の出力が停止され，上記マイクロ波発生器及びヒータによる加熱が終了する（図４，Ｔ3）。このとき，上記端子Ｓ１ａからのパルス信号が途絶えると同時に，上記リレー３３への電力が遮断され，上記接点３３ａが不作動（ＯＦＦ）となる。これにより，マイコン１ａへの電力供給が遮断される。
上述のように構成された本電力供給回路Ｘによれば，例えば，図２のタイミングチャートに示す時刻Ｔxのときに，ノイズの影響を受けて上記マイコン１ａがシステムダウンした場合であっても，上記出力端子Ｓ１ａから出力されるパルス信号の異常信号（一定レベルを有する信号）は上記デバイスコンデンサ５で遮られるる。そのため，上記ＰＮＰ１０及び上記ＮＰＮ１１が作動しなくなるため，上記リレー３３に電力が供給されなくなり，その結果，上記リレー接点３３ａが不作動（ＯＦＦ）となり，上記マイコン１ａへの電力供給が遮断される。これにより，上記リレー３１，３２に電力が遮断され，即ち，このリレー接点３１ａ，３２ａが不作動（ＯＦＦ）となるため，上記マイクロ波発生装置やヒータへの供給電力が遮断される。これにより，マイコン１ａがシステムダウンした場合であっても，加熱調理器の安全性が十分確保されることになる。即ち，上記ＰＮＰ１０及び上記ＮＰＮ１１が，上記マイコン１ａからのパルス信号の出力が途絶えたときは，上記リレー３３を遮断状態に切り換える保持切換手段に相当する。
【図面の簡単な説明】
【００１６】
【図１】本発明の実施の形態に係る加熱調理器の電力供給回路の一例を示す回路図。
【図２】図１に示す本発明の実施の形態に係る電力供給回路のタイミングチャート。
【図３】従来の加熱調理器の電力供給回路の一例を示す回路図。
【図４】図３に示す従来の電力供給回路のタイミングチャート。
【符号の説明】
【００１７】
１，１ａ…マイクロコンピュータ
２…電力供給源
３…ＡＣ／ＤＣコンバータ
４…電界コンデンサ
５…デバイスコンデンサ
１０，２０…ＰＮＰ型トランジスタ
１１〜１３，２１，２２…ＮＰＮ型トランジスタ
【図１】
2005135663.tif 000003
【図２】
2005135663.tif 000004
【図３】
2005135663.tif 000005
【図４】
2005135663.tif 000006